(57)【特許請求の範囲】
【請求項１】
シート状パッキング材料を一群のシガレットのまわりに巻きつける方法であって、
前記シート状パッキング材料（22）が長方形の形状であり、向かい合った平行な2つの長辺と、向かい合った平行な2つの短辺とを有し、再利用可能なカバー・フラップ（5）によって閉じられ且つ1つの短辺の近くに配置された取り出し用開口部（4）を備えており；
前記一群のシガレット（23）が実質的に平行六面体の形状であり、2つの広い側面（24）と、2つの狭い側面（25）と、2つの端面（26）とを有し；4本の縦稜線（27）が、前記2つの広い側面（24）と前記2つの狭い側面（25）との間に形成され；4本の長い横稜線（28）が、前記2つの広い側面（24）と前記2つの端面（26）との間に形成され；4本の短い横稜線（29）が、前記2つの狭い側面（25）と前記2つの端面（26）との間に形成されており、
前記一群のシガレット（23）の前記長い横稜線（28）が前記シート状パッキング材料（22）の短辺と平行になるとともに、前記一群のシガレット（23）の前記短い横稜線（29）が前記シート状パッキング材料（22）の長辺と平行になるようにして前記一群のシガレット（23）の第1の端面（26a）を平坦な前記シート状パッキング材料（22）と接触させるステップと；
前記シート状パッキング材料（22）を前記第1の端面（26a）の前記長い横稜線（28）に沿って折り曲げてU字にすることで、前記シート状パッキング材料（22）で前記広い側面（24）を両方とも完全に覆うステップと；
前記シート状パッキング材料（22）を前記一群のシガレット（23）の第2の端面（26b）の上に折り曲げるステップと；
前記シート状パッキング材料（22）を前記一群のシガレット（23）の前記狭い側面（25）の上に折り曲げるステップとを含んでいる方法において；
前記一群のシガレット（23）の第1の端面（26a）が、前記シート状パッキング材料（22）の短辺のうちで取り出し用開口部（4）とは反対側にある前記短辺により近くなり、前記シート状パッキング材料（22）の前記短辺のうちで前記取り出し用開口部（4）に近い前記短辺からはより遠くなるように、前記一群のシガレット（23）の第1の端面（26a）を前記シート状パッキング材料（22）に対して非対称に配置するステップをさらに含むことを特徴とする方法。
【請求項２】
U字に折り曲げられた前記シート状パッキング材料（22）が、前記一群のシガレット（23）の前記第2の端面（26b）から突出した第1の部分（30）と第2の部分（31）とを有し；前記第1の部分（30）は前記第2の部分（31）よりも小さく、前記取り出し用開口部（4）とは反対側に配置され；前記第2の部分（31）は前記第1の部分（30）よりも大きく、前記取り出し用開口部（4）の一部を含んでおり；
一方の長い横稜線（28）に沿って前記第1の部分（30）を前記第2の端面（26b）の上に折り曲げるステップと；
他方の長い横稜線（28）に沿って前記第2の部分（31）を前記第2の端面（26b）の上に折り曲げるステップとをさらに含む、請求項1に記載の方法。
【請求項３】
前記一群のシガレット（23）の前記第1の端面（26a）を、前記第2の部分（31）が前記第2の端面（26b）と同じサイズになるように前記シート状パッキング材料（22）に対して配置することで、前記第2の部分（31）の上辺を前記第2の端面（26b）の長い横稜線（28）と重ねる、請求項2に記載の方法。
【請求項４】
前記第1の部分（30）が、前記第2の部分（31）に形成された前記取り出し用開口部（4）の部分と重ならないようなサイズになるように、前記一群のシガレット（23）の前記第1の端面（26a）を前記シート状パッキング材料（22）に対して配置する、請求項2または3に記載の方法。
【請求項５】
前記シート状パッキング材料（22）を前記一群のシガレット（23）の狭い側面（25）の上に折り曲げる前記ステップが、
前記短い横稜線（29）に沿って前記シート状パッキング材料（22）を前記狭い側面（25）の上に折り曲げるステップと；
次いで、前記縦稜線（27）に沿って前記シート状パッキング材料（22）を前記狭い側面（25）の上に折り曲げるステップとをさらに含む、請求項2〜4のいずれか1項に記載の方法。
【請求項６】
前記第2の端面（26b）と前記狭い側面（25）の上で重なった部分を接続することにより、前記一群のシガレット（23）のまわりに巻きつけられた前記シート状パッキング材料（22）を安定化させるステップをさらに含む、請求項1〜5のいずれか1項に記載の方法。
【請求項７】
2つの広い側面（24）と、2つの狭い側面（25）と、2つの端面（26）とを有し；4本の縦稜線（27）が、前記2つの広い側面（24）と前記2つの狭い側面（25）との間に形成され；4本の長い横稜線（28）が、前記2つの広い側面（24）と前記2つの端面（26）との間に形成され；4本の短い横稜線 （29）が、前記2つの狭い側面（25）と前記2つの端面（26）との間に形成されている、実質的に平行六面体の形状である一群のシガレット（23）と；
長方形の形状であり、向かい合った平行な2つの長辺と、向かい合った平行な2つの短辺とを有し、再利用可能なカバー・フラップ（5）によって閉じられる取り出し用開口部（4）を備えていて、前記一群のシガレット（23）のまわりに巻きつけられるシート状パッキング材料（22）と
を含むシガレット・パッケージであって、
前記取り出し用開口部（4）が、前記シート状パッキング材料（22）の1つの短辺の近くに配置されており；
前記一群のシガレット（23）の第1の端面（26a）が、前記シート状パッキング材料（22）の前記短辺のうちで前記取り出し用開口部（4）とは反対側にある前記短辺により近くなり、前記シート状パッキング材料（22）の前記短辺のうちで前記取り出し用開口部（4）に近い前記短辺からはより遠くなるように、前記一群のシガレット（23）の第1の端面（26a）が前記シート状パッキング材料（22）に対して非対称に配置されることを特徴とするシガレット・パッケージ。
【請求項８】
前記シート状パッキング材料（22）が、前記一群のシガレット（23）の第2の端面（26b）の上に折り曲げられる第1の部分（30）と第2の部分（31）を備えており；前記第1の部分（30）は前記第2の部分（31）よりも小さくて、前記取り出し用開口部（4）とは反対側に配置され；前記第2の部分（31）は前記第1の部分（30）よりも大きくて、前記取り出し用開口部（4）の一部を含んでいる、請求項7に記載のシガレット・パッケージ。
【請求項９】
前記一群のシガレット（23）の前記第1の端面（26a）を、前記第2の部分（31）が前記第2の端面（26b）と同じサイズになるように前記シート状パッキング材料（22）に対して配置することで、前記第2の部分（31）の上辺が前記第2の端面（26b）の長い横稜線（28）に重ねられる、請求項8に記載のシガレット・パッケージ。
【請求項１０】
前記第1の部分（30）が、前記第2の部分（31）に形成された前記取り出し用開口部（4）の部分と重ならないようなサイズになるように、前記一群のシガレット（23）の前記第1の端面（26a）が前記シート状パッキング材料（22）に対して配置される、請求項8または9に記載のシガレット・パッケージ。
【請求項１１】
前記取り出し用開口部（4）と前記カバー・フラップ（5）が、前記パッケージ（3）の前面の一部と、前記パッケージ（3）の頂面の一部とにあり；前記カバー・フラップ（5）は、前記カバー・フラップ（5）を把持して持ち上げるための把持タブ（21）を備えており；前記カバー・フラップ（5）は、把持タブ（21）と共に前記パッケージ（3）の前面上に位置しているため、前記カバー・フラップ（5）は上方に向かって開き、前記カバー・フラップ（5）の頂部が前記パッケージ（3）の頂面と接触したままとなる、請求項7〜10のいずれか1項に記載のシガレット・パッケージ。
【請求項１２】
前記取り出し用開口部（4）と前記カバー・フラップ（5）が、前記パッケージ（3）の前面の一部と、前記パッケージ（3）の頂面の一部とにあり；前記カバー・フラップ（5）は、前記カバー・フラップ（5）を把持して持ち上げるための把持タブ（21）を備えており；前記カバー・フラップ（5）は、把持タブ（21）と共に、前記パッケージ（3）の頂面上に位置しているため、前記カバー・フラップ（5）は下方に向かって開き、前記カバー・フラップ（5）の下部が前記パッケージ（3）の前面と接触したままとなる、請求項7〜10のいずれか1項に記載のシガレット・パッケージ。
【請求項１３】
前記把持タブ（21）が、前記パッケージ（3）の後面に向かって前記パッケージ（3）の頂面から少なくとも部分的に突出している、請求項12に記載のシガレット・パッケージ。
【請求項１４】
長方形の形状であり、向かい合った平行な2つの長辺と、向かい合った平行な2つの短辺とを有し、再利用可能なカバー・フラップ（5）によって閉じられる取り出し用開口部（4）を備える、シガレット・パッケージ（3）を形成するためのシート状パッキング材料であって、；
前記取り出し用開口部（4）が、前記シート状パッキング材料（22）の1つの短辺の近くに配置されることを特徴とするシート状パッキング材料。
【請求項１５】
前記カバー・フラップ（5）の上辺が、前記シート状パッキング材料（22）の端から3〜10mmに配置される、請求項14に記載のシート状パッキング材料。
【請求項１６】
前記カバー・フラップ（5）の上辺が、前記シート状パッキング材料（22）の端から約5mmに配置される、請求項14に記載のシート状パッキング材料。
【請求項１７】
前記取り出し用開口部（4）が、前記シート状パッキング材料（22）の端から8〜15mmに配置される、請求項14〜16のいずれか1項に記載のシート状パッキング材料。
【請求項１８】
前記取り出し用開口部（4）が、前記シート状パッキング材料（22）の端から約10mmに配置される、請求項17に記載のシート状パッキング材料。
【請求項１９】
前記カバー・フラップ（5）が、前記シート状パッキング材料（22）の前記短辺のうちで前記取り出し用開口部（4）の近くに配置される前記短辺とは反対側に把持タブ（21）を有する、請求項14〜18のいずれか1項に記載のシート状パッキング材料。
【請求項２０】
前記カバー・フラップ（5）が、前記シート状パッキング材料（22）の前記短辺のうちで前記取り出し用開口部（4）の近くに配置される前記短辺と同じ側に把持タブ（21）を有する、請求項14〜18のいずれか1項に記載のシート状パッケージ材料。
【請求項２１】
前記把持タブ（21）が、前記シート状パッキング材料（22）の前記短辺のうちで前記取り出し用開口部（4）の近くに配置される前記短辺から少なくとも部分的に突出している、請求項20に記載のシート状パッケージ材料。
【請求項２２】
2つの広い側面（24）と、2つの狭い側面（25）と、2つの端面（26）とを有し；4本の縦稜線（27）が、前記2つの広い側面（24）と前記2つの狭い側面（25）との間に形成され；4本の長い横稜線（28）が、前記2つの広い側面（24）と前記2つの端面（26）との間に形成され；4本の短い横稜線（29）が、前記2つの狭い側面（25）と前記2つの端面（26）との間に形成されている、実質的に平行六面体の形状である一群のシガレット（23）と；
長方形の形状であり、向かい合った平行な2つの長辺と、向かい合った平行な2つの短辺とを有し、把持タブ（21）を有する再利用可能なカバー・フラップ（5）によって閉じられる取り出し用開口部（4）を備え、前記カバー・フラップ（5）が前記把持タブ（21）によって把持されて持ち上げられる、前記一群のシガレット（23）のまわりに巻きつけられるシート状パッキング材料（22）と
を有しているシガレット・パッケージにおいて；
前記取り出し用開口部（4）と前記カバー・フラップ（5）は、前記パッケージ（3）の前面の一部と、前記パッケージ（3）の頂面の一部とにあり、
このシガレット・パッケージ（3）は、前記カバー・フラップ（5）が把持タブ（21）と共に前記パッケージ（3）の頂面上に配置されているため、前記カバー・フラップ（5）が下方に向かって開き、前記カバー・フラップ（5）の下部が前記パッケージ（3）の前面と接触したままとなることを特徴とするシガレット・パッケージ。
【請求項２３】
前記把持タブ（21）が、前記パッケージ（3）の後面に向かって前記パッケージ（3）の頂面から少なくとも部分的に突出している、請求項22に記載のシガレット・パッケージ。
【発明の詳細な説明】
【技術分野】
【０００１】
本発明は、取り出し用開口部を有するシート状パッキング材料を一群のシガレットのまわりに巻きつける方法と、そのような方法を利用して形成された対応するシガレット・パッケージとに関する。
【背景技術】
【０００２】
シガレットの箱では、一群のシガレットがシート状の内側パッキング材料で包まれている。シート状内側パッキング材料をその一群のシガレットのまわりに巻きつけるとシガレットの先端部（すなわちフィルタとは反対側にあってタバコが露出している端部）がダメージを受け、その結果として局所的な変形および／またはタバコのこぼれ（すなわちタバコが先端部から落ちる）が起こる可能性のあることが観察されている。これは、特に、その一群のシガレットのうちで隅にあるシガレットに当てはまるが、最も外側にある（すなわちシート状の内側パッキング材料の折り曲げ線に沿って位置する）すべてのシガレットにもダメージがあることは明らかである。
【０００３】
さらに、熱融着式の気密なシート状内側パッキング材料も提案されている。このシートは、再利用可能なカバー・フラップで（すなわち非硬化性で再粘着性の接着剤を用いて）閉じられるシガレット取り出し開口部を有する。その場合、フィルタの位置にシガレット取り出し開口部があるため、シート状内側パッキング材料は、シガレットの先端部の位置で端部が封じられる。その結果、シート状内側パッキング材料を一群のシガレットのまわりに巻きつけるときだけでなく、シートの端部を熱融着するとき、シガレットの先端部に機械的応力が加わり、おそらく局所的な変形および／またはタバコのこぼれが起こるとともに、熱応力によってタバコが局所的に劣化する。
【発明の開示】
【課題を解決するための手段】
【０００４】
本発明の1つの目的は、取り出し用開口部を有するシート状パッキング材料を一群のシガレットのまわりに巻きつける方法と、対応するシガレット・パッケージとを提供することであり、この方法とシガレット・パッケージは、上記の欠点がなくなると同時に、安価かつ実現が容易であるように考えられている。
【０００５】
本発明によれば、添付の請求項に記載されているように、取り出し用開口部を有するシート状のパッキング材料を一群のシガレットのまわりに巻きつける方法と、対応するシガレット・パッケージとが提供される。
【発明を実施するための最良の形態】
【０００６】
例示としての本発明の多数の実施態様を添付の図面を参照して説明する。
【０００７】
図1、図2、図3の参照番号1は、シガレットの剛体の箱の全体を指す。このシガレットの箱は、剛体のボール紙でできたカップ状の外側容器2と、その外側容器2の内部に収容された内側パッケージ3を備えている。内側パッケージ3は、平行六面体の形にされた一群のシガレットを収容しており、上方前部には、再利用可能なカバー・フラップ5で閉じられるシガレット取り出し用開口部4を有する。すなわち取り出し用開口部4とカバー・フラップ5は、内側パッケージ3の前面の一部と、内側パッケージ3の頂面の一部とに広がっている。
【０００８】
外側容器2は、開いた上端部6と、カップ状の蓋7とを有する。蓋7は、容器2に対し、開いた上端部6を開放する開いた状態（図2）と開いた上端部6を閉じさせる閉じた状態（図1と図3）の間を折り線8に沿って回転できるようにして、容器2に接続されている。
【０００９】
蓋7が閉じた状態のときには、外側容器2は、平行に向かい合った頂面9および底面10と；平行に向かい合った2つの広い側面11および12と；平行に向かい合った2つの狭い側面13とを有する直方体の形状である。より詳細には、一方の広い側面11が外側容器2の前面11を形成し、他方の広い側面12が外側容器2の後面12を形成している。4本の縦稜線14が、側面13と前面11と後面12の間に形成されており、8本の横稜線15が、頂面9、底面10、前面11、後面12、側面13の間に形成されている。
【００１０】
箱1は、カラー16も備えている。このカラー16はU字に曲げられて外側容器2の内部に固定される（通常は接着される）。そのため開いた上端部6の外側に一部が突出し、蓋7が閉じた状態のときには蓋7の対応する内面に引っ掛かる。カラー16は剛体のボール紙でできており、外側容器2の前面11と接触する前面17と；前面17の互いに反対側に位置していて外側容器2の狭い側面13と接触する2つの側面18とを備えている。
【００１１】
好ましい一実施態様では、カラー16は2つの側方突起部19を備えている。その側方突起部19が蓋7の側面に引っ掛かって蓋7を閉じた状態に保持する。
【００１２】
好ましい一実施態様では、カバー・フラップ5は、非硬化性で再粘着性の接着剤20を用いて内側パッケージ3に固定される（図2に概略を示してある）。この接着剤はカバー・フラップ5の下側の面に付着され、取り出し用開口部4の全体に延びている。そのためカバー・フラップ5は、一部を内側パッケージ3から何度でも（すなわちシガレットの箱1を開けるたびに）剥がすことができ、次いで内側パッケージ3に再び固定することができる。カバー・フラップ5は、底部把持タブ21を有することが好ましい。この把持タブ21により、カバー・フラップ5をつかんで持ち上げる。この把持タブ21は再粘着用接着剤なしでカラー16の前面17上にある。言い換えるならば、カバー・フラップ5を持ち上げるには、ユーザーは、カラー16の前面17にいかなる手段によっても固定されていない把持タブ21を単につかむだけでよい。
【００１３】
図5に示してあるように、内側パッケージ3は、熱融着されるワニスからなる外側被覆を有する気密な層化プラスチック材料でできた長方形のシート状パッキング材料22を折り曲げることによって形成される。シート状パッキング材料22を一群のシガレットのまわりに巻きつけて内側パッケージ3が形成されると、シート状パッキング材料22の重なった部分を熱融着することによって内側パッケージ3のその形状を安定化させることが好ましい。
【００１４】
シート状パッキング材料22は、一群のシガレットのまわりに巻きつける前に切断し、取り出し用開口部4を形成する。次に、下側に接着剤が付けられたカバー・フラップ5が、シート状パッキング材料22に取り付けられる。すなわちカバー・フラップの下側の面が再粘着性接着剤で覆われており、その接着剤が、取り出し用開口部4の内側では、シート状パッキング材料22の内部をカバー・フラップ5に取り外せないように接着し、取り出し用開口部4の外側では、シート状パッキング材料22をカバー・フラップ5に取外し可能に接着する。
【００１５】
図5に示してあるように、シート状パッキング材料22は長方形の形状であり、平行に向かい合った2つの長辺と、平行に向かい合った2つの短辺を有する。再利用可能なカバー・フラップ5で閉じられる取り出し用開口部4は、シート状パッキング材料22の1つの短辺の近くに位置している。好ましい一実施態様では、カバー・フラップ5の上辺は、シート状パッキング材料22の端から3〜10mm（典型的には5mm）に位置し、取り出し用開口部4は、シート状パッキング材料22の端から8〜15mm（典型的には10mm）に位置する（すなわちカバー・フラップ5の端から5mmの位置）。
【００１６】
図6に示してあるように、一群のシガレット23は、実質的に、断面が長方形の平行六面体の形状であり、シガレットの円筒形側面によって形成されていて、平行に向かい合った2つの広い長方形側面24（図6にはそのうちの1つだけを示してある）と；シガレットの円筒形側面によって形成されていて、平行に向かい合った、広い側面24よりも狭い2つの狭い長方形側面25（図6にはそのうちの1つだけを示してある）と；シガレットの平坦な端部によって形成されていて、平行に向かい合った2つの長方形端面26（図6にはそのうちの1つだけを示してある）とを有する。一群のシガレット23の一方の端面26aはシガレットの先端部（すなわちシガレットでフィルタとは反対側にあってタバコが露出している端部）によって形成されていて、一群のシガレット23の他方の端面26bはシガレットのフィルタによって形成されていることが重要であることに注意されたい。
【００１７】
4本の縦稜線27（図6にはそのうちの3つだけを示してある）が、2つの広い側面24と2つの狭い側面25の間に形成されている。4本の長い横稜線28（図6にはそのうちの3つだけを示してある）が、2つの広い側面24と2つの端面26の間に形成されている。4本の短い横稜線29（図6にはそのうちの3つだけを示してある）が、2つの狭い側面25と2つの端面26の間に形成されている。
【００１８】
図6〜図10には、シート状パッキング材料22を一群のシガレット23の周囲に巻きつけて内側パッケージ3を形成する方法を示してある。
【００１９】
最初に、図6に示してあるように、一群のシガレット23の端面26aを、一群のシガレット23の長い横稜線28がシート状パッキング材料22の短辺と平行になるとともに、一群のシガレット23の短い横稜線29がシート状パッキング材料22の長辺と平行になるようにして、平坦なシート状パッキング材料22と接触させる。
【００２０】
一群のシガレット23の端面26aは、シート状パッキング材料22の中心に、シート状パッキング材料22の長辺に対しては対称に配置し、シート状パッキング材料22の短辺に対しては非対称に配置する。より詳細には、一群のシガレット23の端面26aをシート状パッキング材料22に対して非対称に配置するとき、一群のシガレット23の端面26aが、シート状パッキング材料22の短辺のうちで取り出し用開口部4とは反対側にある短辺により近くなり、シート状パッキング材料22の短辺のうちで取り出し用開口部4に近い短辺からはより遠くなるようにする。
【００２１】
図7に示してあるように、シート状パッケージ材料22は、次に、端面26aの長い横稜線28に沿って折り曲げられてU字にされ、広い側面24を両方とも完全に覆う。そのためU字に折り曲げられたシート状パッケージ材料22は、一群のシガレット23の端面26bから突出した2つの部分30、31を有する。部分30は部分31よりも小さくて、取り出し用開口部4の反対側に位置するのに対し、部分31は部分30よりも大きくて、取り出し用開口部4の一部を含んでいる。
【００２２】
この時点で、図8に示したように部分30を一方の長い横稜線28のまわりに端面26bに向かって折り曲げ、図9に示したように部分31を他方の長い横稜線28のまわりに端面26bに向かって折り曲げ、部分30と重なるようにする。
【００２３】
最後に、シート状パッケージ材料22を一群のシガレット23のまわりに巻きつける操作を完了させるため、シート状パッケージ材料22を短い横稜線29に沿って折り曲げて狭い側面25の上に来るようにすることにより、シート状パッケージ材料22を一群のシガレット23の狭い側面25の上に折り曲げた（図10）後、シート状パッケージ材料22を縦稜線27に沿って折り曲げて狭い側面25の上に来るようにする。
【００２４】
図面に示した好ましい実施態様では、一群のシガレット23の端面26aは、部分31が端面26bと同じサイズとなるようにシート状パッケージ材料22に対して配置されているため、部分31の上辺は端面26bの長い横稜線28と重なる（すなわち端面26bに位置する内側パッケージ3の外面は、完全に部分31によって形成される）。さらに、一群のシガレット23の端面26aは、部分30のサイズが部分31に形成されている取り出し用開口部4の部分と重ならないようにシート状パッケージ材料22に対して配置されているため、カバー・フラップ5が持ち上げられたときに取り出し用開口部を通して部分30が見えることはない。
【００２５】
内側パッケージ3の形状は、端面26bおよび／または狭い側面25の上で重なった部分を接続することによって安定化させることが好ましく（必ずそうしなくてはならないわけではない）、熱融着によって、または接着（こちらのケースがより稀である）によって安定化させることができる。
【００２６】
図1〜図10の実施態様では、取り出し用開口部4のカバー・フラップ5は、把持タブ21が内側パッケージ3の前面上に位置しているため、上方に（すなわち内側パッケージ3の前面から頂面へと）開き、カバー・フラップ5の頂部は、内側パッケージ3の頂面と接触したままになる。その場合、カバー・フラップ5上の把持タブ21の位置は、シート状パッケージ材料22の短辺のうちで取り出し用開口部4の近くに位置する短辺とは反対側である。
【００２７】
図11の変形例では、取り出し用開口部4のカバー・フラップ5の把持タブ21が内側パッケージ3の頂面上に位置しているため、カバー・フラップ5は下方に（すなわち内側パッケージ3の頂面から前面へと）開き、カバー・フラップ5の下部が内側パッケージ3の前面と接触したままになる。その場合、カバー・フラップ5上の把持タブ21の位置は、シート状パッケージ材料22の短辺のうちで取り出し用開口部4の近くに位置する短辺と同じ側である。簡単につかめるようにするため、把持タブ21の一部または全体を内側パッケージ3の頂面から後面に向かって突出させることができる。その場合、把持タブ21は、少なくとも一部が、シート状パッケージ材料22の短辺のうちで取り出し用開口部4の近くに位置する短辺の側から突出する。
【００２８】
上記のように内側パッケージ3を形成するとき、シート状パッケージ材料22は、一群のシガレット23のフィルタによって形成される端面26bの位置で熱融着する。この端面26bはシガレット23の先端部によって形成される端面26aの反対側にあるため、熱融着する操作に関与する圧力と熱の組み合わせから逃れられ、従って圧力の印加によって生じる機械的変形と、熱の印加によって生じる熱変化から守られる。タバコの熱変化に関しては、タバコは分解しやすい有機物質であるため所定の湿度が実現されるように取り扱うことと、所定量の揮発性物質を含浸させることに注意することが重要である。そのため、湿度、および／またはタバコに含浸させる揮発性物質は、熱の印加によって少なくとも局所的に影響を受けることは明らかであろう。
【図面の簡単な説明】
【００２９】
【図１】閉じた状態の本発明によるシガレットの箱の前方斜視図である。
【図２】図1のシガレットの箱が開いた状態の前方斜視図である。
【図３】図1のシガレットの箱が閉じた状態の後方斜視図である。
【図４】図1に示した箱の内側パッケージの前方斜視図である。
【図５】シート状内側パッキング材料の平面図であり、このシートが一群のシガレットのまわりに巻きつけられて図4の内側パッケージを形成する。
【図６】図5のシート状内側パッキング材料を一群のシガレットの周囲に巻きつけて図4の内側パッケージを形成する方法の一の概略図である。
【図７】図5のシート状内側パッキング材料を一群のシガレットの周囲に巻きつけて図4の内側パッケージを形成する方法の別の概略図である。
【図８】図5のシート状内側パッキング材料を一群のシガレットの周囲に巻きつけて図4の内側パッケージを形成する方法の別の概略図である。
【図９】図5のシート状内側パッキング材料を一群のシガレットの周囲に巻きつけて図4の内側パッケージを形成する方法の別の概略図である。
【図１０】図5のシート状内側パッキング材料を一群のシガレットの周囲に巻きつけて図4の内側パッケージを形成する方法の別の概略図である。
【図１１】図4に示した内側パッケージの変形例の前方斜視図である。
【符号の説明】
【００３０】
５    カバー・フラップ
４    取り出し用開口部
２２    シート状パッキング材料
２３    一群のシガレット
２４    広い側面
２５    狭い側面
２６    端面
２６ａ    第1の端面
２７    縦稜線
２８    長い横稜線
２９    短い横稜線
【図１】
0005144375.tif 000002
【図２】
0005144375.tif 000003
【図３】
0005144375.tif 000004
【図４】
0005144375.tif 000005
【図５】
0005144375.tif 000006
【図６】
0005144375.tif 000007
【図７】
0005144375.tif 000008
【図８】
0005144375.tif 000009
【図９】
0005144375.tif 000010
【図１０】
0005144375.tif 000011
【図１１】
0005144375.tif 000012